(57)【要約】【課題】燃料電池を起動する際のエネルギー損失を少なくして、エネルギー有効利用率の高い燃料電池発電システム及びその運転方法を提供する。【解決手段】燃料電池１１の燃料極１１−１に燃料ガス１２を供給すると共に、燃料電池１１の空気極１１−２に空気１３を供給して発電する燃料電池発電システムにおいて、燃料ガス１２を燃焼する燃焼部２１と、燃焼部２１からの高温排ガス２２で燃料電池１１の冷却部１１−３を冷却する冷媒２３を熱交換する第１熱交換器２４と、燃料電池１１の冷却部１１−３の入口側冷媒温度Ｔ１を計測する入口側の温度計測器２５−１とを具備する【選択図】        図１
2006179346.tif 000002
【特許請求の範囲】
【請求項１】
燃料電池の燃料極に燃料ガスを供給すると共に、燃料電池の空気極に空気を供給して発電する燃料電池発電システムにおいて、
燃料ガスを燃焼する燃焼部と、
燃焼部からの高温排ガスで燃料電池の冷却部を冷却する冷媒を熱交換する第１熱交換器と、
燃料電池の冷却部の入口側冷媒温度を計測する入口側温度計測器とを具備することを特徴とする燃料電池発電システム。
【請求項２】
請求項１において、
前記冷媒の冷却ラインに放熱部を有することを特徴とする燃料電池発電システム。
【請求項３】
請求項１又は２において、
冷却部の出口側温度を計測する温度計測器を有することを特徴とする燃料電池発電システム。
【請求項４】
請求項２において、
前記冷却ラインが放熱部の熱交換媒体のラインとは独立していることを特徴とする燃料電池発電システム。
【請求項５】
請求項１乃至４のいずれか一つにおいて、
前記燃料ガスが水素含有ガスであることを特徴とする燃料電池発電システム。
【請求項６】
請求項５において、
原燃料を改質して水素含有ガスを生成する燃料改質器を有することを特徴とする燃料電池発電システム。
【請求項７】
請求項２において、
前記放熱部の代わりに、熱交換媒体を熱交換する第２熱交換器を有することを特徴とする燃料電池発電システム。
【請求項８】
請求項１乃至７のいずれか一つにおいて、
前記燃焼部と前記第１熱交換器とを一体化した複合燃焼器を用いることを特徴とする燃料電池発電システム。
【請求項９】
請求項１乃至８のいずれか一つにおいて、
前記燃料電池が固体高分子型燃料電池（ＰＥＦＣ）であることを特徴とする燃料電池発電システム。
【請求項１０】
燃料ガスを燃料極に供給して電気出力を得る固体高分子型燃料電池を備えた燃料電池発電方法において、
燃料電池にて電気出力を発生させる前に、常温の燃料ガスを燃焼させる燃焼部にて前記燃料ガスを燃焼させ、前記燃焼部の下流に設けた第１の熱交換器に燃料電池の冷却加熱を行なわせる燃料電池の循環冷媒を流通させ、前記燃焼器で得られた高温排ガスから熱回収することで、前記燃料電池の循環冷媒を速やかに昇温させ、燃料電池を加熱することを特徴とする燃料電池の運転方法。
【請求項１１】
請求項１０において、
前記第１の熱交換器と燃料電池を連絡する循環冷媒の冷却ラインの途中に、熱交換媒体を供給して熱交換する第２の熱交換器を設け、熱交換媒体の流量を変化させることにより燃料電池へ流入する循環冷媒の温度を所定の温度に制御することを特徴とする燃料電池の運転方法。
【請求項１２】
請求項１０又は１１において、
前記燃料電池の燃料極へ前記燃料ガスを供給するための管路に流路を切替える切替弁を設け、前記燃料電池にて電気出力を発生させる前は、前記切替弁を前記燃焼部へ供給する管路側に切り替え、前記燃料ガスを前記燃焼部で燃焼させることを特徴とする燃料電池の運転方法。
【請求項１３】
請求項１０乃至１２のいずれか一つにおいて、
前記冷却ラインの燃料電池入口部付近又は燃料電池出口部付近の少なくとも一方に温度計測器を設け、前記温度計測器の指示値が目標温度となるように、前記第２熱交換器に流す熱交換媒体の流量を変化させることを特徴とする燃料電池の運転方法。
【請求項１４】
請求項１０乃至１３のいずれか一つにおいて、
前記冷却ラインの燃料電池入口部付近又は燃料電池出口部付近の少なくとも一方に設けた温度計測器の指示値が目標温度に到達したら、前記燃料電池の燃料極へ前記燃料ガスを供給するための管路に設けられた切替弁により燃料極側に燃料流路を切替え、前記燃料ガスを燃料極に供給した後、燃料極から排出される燃料排出ガスを燃焼部で燃焼することを特徴とする燃料電池の運転方法。
【請求項１５】
請求項１０において、
制御装置により燃料電池の健全度を確認した後、電気負荷と接続し、取出し電流値を所定の値まで引き上げ、定常発電状態に到達させることを特徴とする燃料電池の運転方法。
【請求項１６】
請求項１０において、
燃料電池発電システム内にて燃料ガスを燃料改質器により水素含有ガスとする際に、
制御装置により燃料電池の健全度を確認した後、電気負荷と接続し、取出し電流値を所定の値まで引き上げると同時に、燃料極から排出される燃料排出ガスを改質器バーナで燃焼させつつ、定常発電状態に到達させることを特徴とする燃料電池の運転方法。
【発明の詳細な説明】
【技術分野】
【０００１】
本発明は、燃料電池を起動する際のエネルギー損失を少なくして、エネルギー有効利用率の高い燃料電池発電システム及びその運転方法に関する。
【背景技術】
【０００２】
固体高分子型燃料電池（以後、ＰＥＦＣ（Ｐｏｌｙｍｅｒ Ｅｌｅｃｔｒｏｌｙｔｅ Ｆｕｅｌ Ｃｅｌｌ）と呼ぶ。）は、電解質に固体高分子のイオン交換膜を使用するものであり、流体となる燃料ガスである水素（又は水素含有ガス）及び酸化ガスである酸素（又は酸素含有ガス）を、それぞれ燃料極（アノード）、空気極（カソード）に供給して、固体高分子のイオン交換膜中を水素イオンが移動することで、電気化学（電池）反応を起して発電をするものである。通常は、ＰＥＦＣに水素及び酸素を供給するため、様々な工夫を行っている。
【０００３】
このような燃料電池を有する燃料電池発電システムは、家庭等における分散電源などとして注目されている。また、燃料ガスとして水素以外の都市ガスやＬＰＧを用いる場合には、燃料改質器を用いて例えば水蒸気改質方法により水素リッチな改質された燃料ガスに変えて、燃料電池に供給するようにしている。そして、燃料電池では、前記改質された燃料ガスと酸化ガスである空気とを電気化学的に反応させて発電するようにしている。
【０００４】
このような燃料電池においては、その発電初期の起動方法として以下のような提案がある。
改質器を有する燃料電池システムの起動において、所定の質の改質ガスが得られるまでは、熱エネルギーを得るガスバーナで改質ガスを燃焼させ、所定の質になったら燃料電池の燃料極に流し、前記ガスバーナで燃焼させつつ、徐々に電気負荷を増大させている。そして、燃料電池の作動温度がほぼ安定したら、燃料極の排出ガスを改質器バーナにリサイクルさせる起動方法が開示されている。また、前記安定状態に達したら、燃料極からの排出ガスの流れを改質器バーナ側に切り替える機構が開示されている（特許文献１）。
【０００５】
また、他の提案においては、改質器を有し、改質器の排ガスと改質器温度が安定するまでの改質ガスを燃焼させるプロセスガスバーナの排ガスの熱を貯湯タンクに蓄える温水（Ａ）として回収する熱交換器を有する燃料電池発電装置の起動時において、前記プロセスガスバーナに炭化水素系燃料ガスを、単独、または改質器温度が安定するまでの改質ガスとともに燃焼させ、その燃焼排ガスの熱を前記貯湯タンクに蓄える温水（Ａ）として回収し、その温水を燃料電池を冷却するための循環水（Ｂ）タンクと熱交換させることで、前記燃料電池の循環水タンクの水（Ｂ）を昇温して、昇温した循環水を燃料電池に循環して燃料電池を加熱する装置が提案されている（特許文献２）。
【０００６】
【特許文献１】特許第３５３０４５８号公報
【特許文献２】特許第３５６１７０６号公報
【発明の開示】
【発明が解決しようとする課題】
【０００７】
しかしながら、特許文献１の提案では、システムの起動に際しては、先ず燃料の改質を開始した後、改質ガスが安定してから発電を開始しているが、電力負荷を徐々に増大させているので、発電を開始してから定常発電までには所定の時間を要し、発電開始と定常発電とが一致せず、瞬時に電力負荷をすることができない、という問題がある。
【０００８】
また、特許文献２の提案では、燃焼排ガスの熱エネルギーを、一端、貯湯タンクの循環水（Ａ）によって回収し、ついで、循環水（Ａ）の熱エネルギーを燃料電池を冷却する循環水（Ｂ）に与えるという２つの熱交換プロセスを踏んでおり、各々の熱交換器での熱変換効率の損失があるばかりか、貯湯タンクの容量次第では、なかなか燃料電池の循環水（Ｂ）に熱が伝わらず、起動時間が長くなる、という問題がある。
【０００９】
更に、貯湯タンクを設置しないシステムでは、前記循環水（Ａ）が使用できないため、循環水（Ｂ）を加熱することができない、という問題がある。
また、特許文献２の提案では、起動時間が幾分短縮されるものの、余分に炭化水素系燃料を消費するため、起動操作にかかる全エネルギー量としては相殺され、依然、起動時のエネルギー損失を少なくすることができない、という問題がある。
【００１０】
本発明は、前記問題に鑑み、燃料電池を起動する際のエネルギー損失を少なくして、エネルギー有効利用率の高い燃料電池発電システム及びその運転方法を提供することを課題とする。
【課題を解決するための手段】
【００１１】
上述した課題を解決するための本発明の第１の発明は、燃料電池の燃料極に燃料ガスを供給すると共に、燃料電池の空気極に空気を供給して発電する燃料電池発電システムにおいて、燃料ガスを燃焼する燃焼部と、燃焼部からの高温排ガスで燃料電池の冷却部を冷却する冷媒を熱交換する第１熱交換器と、燃料電池の冷却部の入口側冷媒温度を計測する入口側温度計測器とを具備することを特徴とする燃料電池発電システムにある。
【００１２】
第２の発明は、第１の発明において、
前記冷媒の冷却ラインに放熱部を有することを特徴とする燃料電池発電システムにある。
【００１３】
第３の発明は、第１又は２の発明において、冷却部の出口側温度を計測する温度計測器を有することを特徴とする燃料電池発電システムにある。
【００１４】
第４の発明は、第２の発明において、前記冷却ラインが放熱部の熱交換媒体のラインとは独立していることを特徴とする燃料電池発電システムにある。
【００１５】
第５の発明は、第１乃至４のいずれか一つの発明において、前記供給ガスが水素含有ガスであることを特徴とする燃料電池発電システムにある。
【００１６】
第６の発明は、第５の発明において、原燃料を改質して水素含有ガスを生成する燃料改質器を有することを特徴とする燃料電池発電システムにある。
【００１７】
第７の発明は、第２の発明において、前記放熱部の代わりに、熱交換媒体を熱交換する第２熱交換器を有することを特徴とする燃料電池発電システムにある。
【００１８】
第８の発明は、第１乃至７のいずれか一つの発明において、前記燃焼部と前記第１熱交換器とを一体化した複合燃焼器を用いることを特徴とする燃料電池発電システムにある。
【００１９】
第９の発明は、第１乃至８のいずれか一つの発明において、前記燃料電池が固体高分子型燃料電池（ＰＥＦＣ）であることを特徴とする燃料電池発電システムにある。
【００２０】
第１０の発明は、燃料ガスを燃料極に供給して電気出力を得る固体高分子型燃料電池を備えた燃料電池発電方法において、燃料電池にて電気出力を発生させる前に、常温の燃料ガスを燃焼させる燃焼部にて前記燃料ガスを燃焼させ、前記燃焼部の下流設けた第１の熱交換器に燃料電池の冷却加熱を行なわせる燃料電池の循環冷媒を流通させ、前記燃焼器で得られた高温排ガスから熱回収することで、前記燃料電池の循環冷媒を速やかに昇温させ、燃料電池を加熱することを特徴とする燃料電池の運転方法にある。
【００２１】
第１１の発明は、第１０の発明において、前記第１の熱交換器と燃料電池を連絡する循環冷媒の冷却ラインの途中に、熱交換媒体を供給して熱交換する第２の熱交換器を設け、熱交換媒体の流量を変化させることにより燃料電池へ流入する循環冷媒の温度を所定の温度に制御することを特徴とする燃料電池の運転方法にある。
【００２２】
第１２の発明は、第１０又は１１の発明において、前記燃料電池の燃料極へ前記燃料ガスを供給するための管路に流路を切替える切替弁を設け、前記燃料電池にて電気出力を発生させる前は、前記切替弁を前記燃焼部へ供給する管路側に切り替え、前記燃料ガスを前記燃焼部で燃焼させることを特徴とする燃料電池の運転方法にある。
【００２３】
第１３の発明は、第１０乃至１２のいずれか一つの発明において、前記冷却ラインの燃料電池入口部付近又は燃料電池出口部付近の少なくとも一方に温度計測器を設け、前記温度計測器の指示値が目標温度となるように、前記第２熱交換器に流す熱交換媒体の流量を変化させることを特徴とする燃料電池の運転方法にある。
【００２４】
第１４の発明は、第１０乃至１３のいずれか一つの発明において、前記冷却ラインの燃料電池入口部付近又は燃料電池出口部付近の少なくとも一方に設けた温度計測器の指示値が目標温度に到達したら、前記燃料電池の燃料極へ前記燃料ガスを供給するための管路に設けられた切替弁により燃料極側に燃料流路を切替え、前記燃料ガスを燃料極に供給した後、燃料極から排出される燃料排出ガスを燃焼部で燃焼することを特徴とする燃料電池の運転方法にある。
【００２５】
第１５の発明は、第１０の発明において、制御装置により燃料電池の健全度を確認した後、電気負荷と接続し、取出し電流値を所定の値まで引き上げ、定常発電状態に到達させることを特徴とする燃料電池の運転方法にある。
【００２６】
第１６の発明は、第１０の発明において、燃料電池発電システム内にて燃料ガスを燃料改質器により水素含有ガスとする際に、制御装置により燃料電池の健全度を確認した後、電気負荷と接続し、取出し電流値を所定の値まで引き上げると同時に、燃料極から排出される燃料排出ガスを改質器バーナで燃焼させつつ、定常発電状態に到達させることを特徴とする燃料電池の運転方法にある。
【発明の効果】
【００２７】
本発明によれば、水素含有ガスを燃料ガスとして発電する発電システムを起動する際に、燃料電池を速やかに安定出力状態が得られる温度へ移行させ、燃料電池を起動する際のエネルギー損失を少なくして、エネルギー有効利用率の高いものとすることができる。
【発明を実施するための最良の形態】
【００２８】
以下、この発明につき図面を参照しつつ詳細に説明する。なお、この実施形態及び実施例によりこの発明が限定されるものではない。また、下記実施形態及び実施例における構成要素には、当業者が容易に想定できるもの、あるいは実質的に同一のものが含まれる。
【００２９】
［実施形態１］
本発明による実施形態１に係る燃料電池の発電システムについて、図面を参照して説明する。
図１は、実施形態１に係る燃料電池の発電システムを示す概念図である。
図１に示すように、本実施形態に係る燃料電池の発電システムは、燃料電池１１の燃料極１１−１に燃料ガス１２を供給すると共に、燃料電池１１の空気極１１−２に空気１３を供給して発電する燃料電池発電システムにおいて、燃料ガス１２を燃焼する燃焼部２１と、燃焼部２１からの高温排ガス２２で燃料電池１１の冷却部１１−３を冷却する冷媒２３を熱交換する第１熱交換器２４と、燃料電池１１の冷却部１１−３の入口側冷媒温度Ｔ１を計測する入口側の温度計測器２５−１とを具備するものである。なお、図１中、符号Ｌ１は冷却ライン、Ｌ２は排出ライン、Ｌ３〜Ｌ４は管路を、３３−１、３３−２はポンプを各々図示する。
【００３０】
前記構成のシステムにおいて、燃料電池にて電気出力を発生させる際に、常温の燃料ガス１２を燃焼させる燃焼部２１にて前記燃料ガス１２を燃焼させ、前記燃焼部２１の下流に設けた第１熱交換器２４に燃料電池の冷却加熱を行なわせる燃料電池の冷媒２３を流通させ、前記燃焼部２１で得られた高温排ガス２２から熱回収することで、前記燃料電池１１の冷媒２３を速やかに昇温させることができ、燃料電池１１の加熱に寄与することとなる。これにより、発電初期におけるエネルギーを有効活用することができる。ここで、燃焼部２１としては、通常の燃焼器以外に、触媒燃焼により燃料ガス１２を常温にて燃焼させるようにしてもよい。前記燃焼触媒としては、例えば白金系モノリス触媒を例示することができるが、本発明はこれに限定されるものではない。
【００３１】
前記冷却部１１−３の入口側冷媒温度Ｔ１を入口側温度計測器２５−１で計測するのは、燃料電池の健全性を維持するためであり、所定の設定温度に達した場合には、制御装置（ＣＰＵ）にて制御し、熱交換媒体（例えば水又は空気）の供給量を増大させて、所定温度に維持するようにしている。
また、前記燃料電池１１の冷却部１１−３の出口側温度を計測する温度計測器２８−２を有するようにしてもよい。
これは、出口側の温度を計測することでより精度のよい制御を可能としている。すなわち、燃料電池に供給する冷媒２３の温度が設定温度より高い場合でも、発電初期には出口側温度が低下する場合があり、出口側温度が所定の温度となるまでは、第１熱交換器２４で熱交換された冷媒を放熱部２６にて冷却することを抑制することができる。
また、前記燃料電池１１の空気極１１-２に供給する空気は、図示しない加湿装置により適度に加湿された空気とするのが好ましい。
【００３２】
ここで、発電初期においては、燃料ガス１２は管路Ｌ３と管路Ｌ４とを切替える切替弁Ｖ１により、管路Ｌ４側に切替え、燃焼部２１で全て燃焼するようにしている。そして、冷媒２３を高温排ガス２２で加熱し、燃料電池１１の温度が所定の作動となった際に、切替弁Ｖ１を切替え、管路Ｌ３側に燃料ガス１２を供給することで、燃料極１１−１に燃料を供給して発電に供するようにしている。
【００３３】
前記燃料ガス１２は、水素ガス以外に水素含有ガス（例えば化学工場からガス導管を通して送られる副生水素ガスや大型の集中燃料改質器等で製造され、ガス導管を通して送られる改質ガス等の水素含有ガスを含む。）であり、好ましくは適度に加湿された水素含有ガスとするのがよい。
また、水素含有ガス以外には、燃料改質器２８により原燃料２９を改質して用いるようにしている。ここで、前記改質ガスの原燃料２９としては、例えば天然ガス（都市ガス：例えば１３Ａ）、ＬＰＧ、石炭ガスなどの気体燃料、又は、アルコール（例えばメタノール等）、ジメチルエーテル、灯油、軽油、ナフサなどの液体燃料を挙げることができる。
【００３４】
前記原燃料２９改質は、主として、改質器本体２８−１の改質触媒（図示せず）における水蒸気改質反応によって行われる。即ち、原燃料２９と水蒸気とを混合して改質触媒層に流通させ、改質器バーナ２８−２を用いて、例えば７００〜８００℃の温度で水蒸気改質反応（都市ガスを用いる場合にはＣＨ4＋Ｈ2Ｏ→ＣＯ＋３Ｈ2）を起こさせることにより行われる。前記改質触媒としては、例えばＲｕ／Ａｌ2Ｏ3等を例示することができるが、これに限定されるものではない。また、改質された燃料ガス１２は必要に応じてＣＯ変成触媒部とＰＲＯＸ触媒部とを通過させるようにしてもよい。
【００３５】
また、前記冷媒２３の冷却ラインＬ１には、例えば水又は空気等を熱交換媒体２７とする放熱部２６が設けられており、燃料電池発電における発熱の際に放熱するようにしている。
【００３６】
また、冷却ラインＬ１は閉鎖ラインとすることが好ましい。これは、燃料電池で用いる冷媒である水はイオン濃度が低いものを用いており、閉鎖ラインとしない場合には、外部から供給する水のイオンを除去するために膨大な設備を必要として発電コストが割高となるのを防止している。なお、前記冷却ラインＬ１は必要に応じて、運転中あるいは停止中に、図示しない水処理装置を介して外部から水道水を補給する操作を行なうようにしてもよい。
【００３７】
図１のシステムにおいて、燃料電池発電の起動時に、切替弁Ｖ１を切替えて、管路Ｌ４に燃料ガス１２を流し、燃料電池にて電気出力を発生させる前に、前記燃料ガス１２を燃焼部２１にて燃焼させ、高温排ガス２２を得る。そして、前記燃焼部２１下流に配した第１熱交換器２４に燃料電池の冷媒２３を流通させ、前記高温排ガスと熱交換させることで、燃料電池循環水を速やかに６０℃以上に昇温させることができる。そして、昇温が完了した後、切替弁Ｖ１を管路Ｌ３に切替え、燃料電池１１の燃料極１１−１に燃料ガス１２を流し、これにより、燃料電池負荷を瞬時にかけることができる。
【００３８】
［実施形態２］
本発明による実施形態２に係る燃料電池の発電システムについて、図面を参照して説明する。
図２は、実施形態２に係る燃料電池の発電システムを示す概念図である。なお、前述した実施形態１のシステムの構成部材と同一の部材については、同一の符号を付してその説明は省略する。
図２に示すように、本実施形態に係る燃料電池の発電システムは、図１に示すシステムの前記放熱部２６の代わりに、熱交換媒体２７を積極的に熱交換するための第２熱交換器３１を設けるようにしたものである。
本実施形態では、この第２熱交換器３１で熱交換された熱交換媒体２７はポンプ３３−２を介して循環され、貯湯槽３２において蓄熱するようにしている。なお、この循環ラインＬ１２は燃料電池１１の冷却部１１−３の冷却ラインＬ１とは独立な循環ラインとしている。これは、前記貯湯槽３２は、常温の水道水を供給しており、燃料電池で生成したお湯を出湯する目的で使用するためであり、通常、図示しない給水ラインと排水ラインとを更に、具備しており、それらにより外部とのやり取りを行うようにしている。
【００３９】
また、本実施形態では、燃焼部２１と第１熱交換器２４とを分けたものとしているが、実施形態１のように、燃焼部２１と第１熱交換器２４とを一体化した複合燃焼器としてもよい。
【００４０】
前記燃焼部２１の下流に配した第１熱交換器２４と燃料電池１１をつなぐ前記燃料電池の冷却ラインＬ１の途中に、熱交換媒体（例えば冷水）２７を通水する第２熱交換器３１を配し、冷水流量を変化させることにより燃料電池１１へ流入する冷媒２３の温度を所定の温度に制御するようにして、さらに熱効率の高い燃料電池発電に寄与するようにしてもよい。
【００４１】
このように、本発明の燃料電池発電システムによれば、発電システムを起動する際に、固体高分子型燃料電池を速やかに安定出力状態が得られる温度へ移行させ、燃料電池を起動する際のエネルギー損失を少なくして、エネルギー有効利用率の高い燃料電池発電を提供することができる。
【実施例１】
【００４２】
以下、本発明の発電方法にかかる好適な実施例について図３乃至６を参照しつつ説明する。
図３にかかる燃料電池発電システムは、実施形態１及び２を基本構造とする燃料電池の発電システムであり、同一構成部材については、同一符号を付してその説明は省略する。
ここで、図３は燃料電池発電システムの全体図である。また、図４は改質器を起動し、改質器が安定して冷媒の昇温が完了するまでの概略図である。図５は改質器が安定した後、発電前までの概略図である。図６発電開始時の概略図である。
【００４３】
ここで、図３に示すように、燃料改質器２８と切替弁Ｖ１との間に、ドレイン分離機能付熱交換器４１を設けており、冷却ラインＬ１から切替弁Ｖ３を管路Ｌ５切替えることでドレイン分離機能付熱交換器４１を経由して冷却部１１−３に冷媒を供給するようにしている。また、切替弁Ｖ３の切替えで管路Ｌ６に流路を切替えるバイパスラインも有している。なお、本実施例では冷媒２３として冷却水を用いている。
【００４４】
先ず、改質器起動から改質器安定及び電池冷却水の昇温完了までの工程（工程Ａ）について、図４を参照しつつ工程Ａ―１）〜工程Ａ―７）の説明を行う。
Ａ―１）改質器バーナ２８−２に原燃料２９及び空気１３を供給し、燃焼熱で改質器本体（触媒）２８−１を昇温する。
Ａ―２）その後、原燃料２９（及び水）を燃料改質器２８に供給し、改質された燃料ガス１２を生成させる。
Ａ―３）改質された燃料ガス１２の組成が安定するまでは、管路Ｌ１０を出た燃料ガス１２は、ドレイン分離機能付熱交換器４１を通過し、切替弁Ｖ１にて管路Ｌ４（燃焼部２１側）に流し、燃焼部２１に供給した空気１３とともに燃焼処理する。
Ａ―４）前記燃焼部２１を出た高温排ガス２２は、第１熱交換器２４にて抜熱され、排出ラインＬ２より系外に排気される。
Ａ―５）前記Ａ―２）工程と同時に、冷媒２３を冷却ラインＬ１内で循環させるポンプ３３−１を作動させ、燃料電池１１の冷却水循環系である冷却部１１−３に冷媒２３である水を循環させる。この水は、管路Ｌ５に流し、ドレイン分離機能付熱交換器４１にて改質された燃料ガス１２の顕熱及び凝縮熱を取り込み、さらに冷却部１１−３を通過した後には、第１熱交換器２４にて燃焼部２１の高温排ガス２２から熱回収することにより、加熱される。
この循環水が燃料電池１１の冷却部１１−３を通過する際に、発電初期においては、燃料電池１１を昇温する。
Ａ―６）燃料電池１１は、図示しない高分子膜の劣化を防止するために９０℃以下（好ましくは８０℃以下）で使用する必要がある。そのため、前記Ａ−５）の昇温工程にて燃料電池１１の温度が９０℃以上に上昇するのを防止するため、冷却ラインＬ１の冷却部１１−３の入口部に設置した温度計測器２５−１が９０℃以下の所定の温度となるように、冷却ラインＬ１中に設置した第２熱交換器３１に流す熱交換媒体２７の流量を制御するようにしている。
Ａ―７）また、燃料電池１１は熱容量をもつため、冷却ラインＬ１の冷却部１１−３の出口部に設置した温度計測器２５−２の昇温状態を見て、燃料電池１１の昇温完了を判断する。
【００４５】
次に、燃料電池１１の昇温の判断を確認した後、燃料電池発電前までの工程（工程Ｂ）について、図５を参照しつつ工程Ｂ―１）〜工程Ｂ―６）の説明を行う。
【００４６】
Ｂ―１）改質された燃料ガス１２の組成が安定し、燃料電池１１が所定の温度までの昇温を完了したら、切替弁Ｖ１を燃料電池側の管路Ｌ３に切替え、燃料ガス１２を燃料電池１１の燃料極１１−１に流す。
Ｂ―２）ここで、燃料電池１１はまだ電気負荷との接続を切った状態としているため、燃料電池内では燃料ガス１２中の水素は消費されない。
Ｂ―３）この為、前記燃料電池１１の燃料極１１−１を通過した燃料ガス１２は、切替弁Ｖ４にて管路Ｌ８（燃焼部２１側）に流し、燃焼部２１に供給した空気１３とともに燃焼処理する。
Ｂ―４）燃焼部２１を出た高温排ガス２２は、第１熱交換器２４にて冷媒２３にて抜熱され、排出ラインＬ２より系外に排気される。
Ｂ―５）このとき、燃料電池１１の冷却ラインＬ１の冷媒２３は循環させた状態のままとし、ドレイン分離機能付熱交換器４１及び第１熱交換器２４にて熱回収されるが、冷却ラインＬ１の冷却部１１−３の入口部に設置した入口側の温度計測器２５−１が８０℃以下の所定の温度となるように冷却ラインＬ１中に設置した第２熱交換器３１に流す熱交換媒体２７の流量を制御するようにしている。
Ｂ―６）前記Ｂ―１）の工程とほぼ同時に燃料電池１１の空気極１１−２に空気１３を流し、燃料電池の電圧値により燃料電池１１の健全度を確認し、発電準備状態とする。電池の健全度は、燃料電池の電圧値が所定の電圧に達していることで確認することができる。
【００４７】
最後に、発電開始時の工程（工程Ｃ）について、図６を参照しつつ工程Ｃ―１）〜工程Ｃ―５）の説明を行う。
Ｃ―１）燃料電池１１が発電準備状態となったことを確認後、原料供給量に応じて取得可能な負荷の範囲内で、任意の電気負荷を瞬時に接続し、発電を開始する。
Ｃ―２）発電開始と同時に、燃料電池１１の燃料極１１−１から排出される未反応水素ガスを含む排出ガス１２ａは、切替え弁Ｖ４にて管路Ｌ９（改質器バーナ２８−２側）に流し、燃料改質器２８の熱源として利用する。なお、このとき改質器バーナ２８−２へ直接供給していた原燃料２９の供給量は、燃料電池１１での水素消費量（電力負荷）に応じて低下させるようにしている。
Ｃ―３）前記Ｃ―２）の操作により、燃焼部２１には可燃性の燃料ガス１２が供給されなくなるため、燃焼部２１への空気１３の供給を停止する。その結果、燃焼部２１の高温排ガス２２の熱を燃焼部２１の下流に配置した第１熱交換器２４で回収できなくなるため、第１熱交換器２４側へ流していた冷媒２３を切替弁Ｖ２により第１熱交換器２４のバイパス側の管路Ｌ１１へ切り替える。これにより、第１熱交換器２４が通過することによる放熱によるエネルギーロスを低減することにしている。
Ｃ―４）燃料電池１１では、その発電と同時に熱が発生するため、燃料電池１１内部の冷却部１１−３に循環する冷媒２３である循環水により抜熱する。
Ｃ―５）発電時も起動時と同様に、冷却水の冷却ラインＬ１の冷却部１１−３の入口部に設置した温度計測器２５−１が９０℃以下の所定の温度となるように冷却ラインＬ１中に設置した第２熱交換器３１に流す熱交換媒体２７の流量を制御するようにしている。
【００４８】
このように、本実施例によれば、燃料ガス１２として水素含有ガスを用いて固体高分子型燃料電池を備えた燃料電池の発電システムを起動する際の起動時に、燃料電池にて電気出力を発生させる前に、常温の可燃ガスを燃焼させることができる燃焼部２１を設けて高温排ガス２２を発生させ、その燃焼部２１の下流に設けた第１熱交換器２４にて、燃料電池１１の循環する冷媒２３を流通させ、前記高温排ガス２２と熱交換させることで、燃料電池１１の循環水を速やかに６０℃以上に昇温するようにしている。
これにより、燃料電池を速やかに安定出力状態が得られる温度へ移行させ、燃料電池を起動する際のエネルギー損失を少なくして、エネルギー有効利用率の高い固体高分子型燃料電池発電システム及びその運転方法を提供することができる。
【００４９】
更に、前記燃焼部２１の下流に配した第１熱交換器２４と燃料電池１１をつなぐ前記冷却ラインＬ１の途中に、冷媒２３を通す第２熱交換器３１を配し、冷水流量を変化させることにより、燃料電池１１へ流入する冷媒２３の温度を所定の温度に制御することができる。
【００５０】
この結果、図１０−１に示すように、改質器での原燃料の改質の開始と共に、燃料電池温度が上昇し、昇温終了の際には、瞬時に定常発電を開始することができる。これに対し、従来技術の場合では、図１０−２に示すように、原燃料の改質を先ず行い、その後、改質ガスが安定した後に、発電を開始することになるが、未だ燃料電池温度は、定常発電を行うものではなく、その後、定常発電温度に到達することで、ようやく定常発電することとなり、エネルギー効率が悪いものとなる。
【実施例２】
【００５１】
次に、他の実施例として、燃料ガス１２として、改質ガスを用いない場合（水素含有ガスを供給する場合）について説明する。
図７にかかる燃料電池発電システムは、実施形態１及び２を基本構造とする燃料電池の発電システムであり、同一構成部材については、同一符号を付してその説明は省略する。
ここで、図７は燃料電池発電システムの全体図である。また、図８は改質器を起動し、改質器が安定して冷媒の昇温が完了するまでの概略図である。図９は発電開始時の概略図である。
【００５２】
先ず、燃料電池起動から冷媒の昇温が完了するまでの工程（工程Ｄ）について、図８を参照しつつ工程Ｄ―１）〜工程Ｄ―５）の説明を行う。
Ｄ―１）管路Ｌ１０から供給された燃料ガス１２は、ドレイン分離機能付熱交換器４１で熱交換され、切替弁Ｖ１にて管路Ｌ４（燃焼部２１側）に送られ、燃焼部２１に供給した空気１３とともに燃焼される。
Ｄ―２）前記燃焼部２１を出た高温排ガス２２は第１熱交換器２４にて冷媒２３に抜熱され、排出ラインＬ２より系外に排気される。
Ｄ―３）前記工程Ｄ−１）と同時に、ポンプ３３−１を作動させ、燃料電池１１の冷却ラインＬ１に冷媒２３である水を循環させる。前記ポンプ３３−１を出た冷媒２３は、切替弁Ｖ３にてドレイン分離機能付熱交換器４１のバイパスラインである管路Ｌ６経由で燃料電池１１の冷却部１１−３を通過後、切替弁Ｖ２にて熱第１交換器２４に送られ、燃焼部２１の高温排ガス２２により加熱される。この循環冷媒２３が燃料電池１１の冷却部１１−３を通過する際に燃料電池１１を昇温する。
Ｄ―４）燃料電池１１は、高分子膜の劣化を防止するために９０℃以下（好ましくは８０℃以下）で使用する必要がある。そのため、前述したＤ−３）の昇温工程にて燃料電池１１の温度が９０℃以上に上昇するのを防止するため、冷却ラインＬ１冷却部１１−３の入口部に設置した温度計測器２５−１が９０℃以下の所定の温度となるように、冷却ラインＬ１に設置した第２熱交換器３１に流す熱交換媒体２７の流量をコントロールする。
Ｄ―５）燃料電池１１は熱容量をもつため、冷却ラインＬ１の燃料電池冷却部１１−３の出口部に設置した温度計測器２５−２の昇温状態を見て、燃料電池１１の昇温完了を判断する。
【００５３】
次に、改質器が無い場合における発電開始時の工程（工程Ｅ）について、図９を参照しつつ工程Ｅ―１）〜工程Ｅ―４）の説明を行う。
Ｅ―１）燃料電池１１が所定の温度までの昇温を完了したら、冷却ラインＬ１の切替弁Ｖ３を切替えて、ドレイン分離機能付熱交換器４１を経由するようし、冷媒２３を管路Ｌ５に流す。これにより導入される燃料ガス１２の予熱及び調湿を行うことが出来る。
Ｅ―２）その後、燃料ガス１２の切替弁Ｖ１を燃料電池１１側の管路Ｌ３に切り替え、燃料ガス１２を燃料電池１１の燃料極１１−１に流す。
Ｅ―３）前記工程Ｅ−２）とほぼ同時に燃料電池１１の空気極１１−２に空気１３を流し、燃料電池の電圧値により燃料電池の健全度を確認し、発電準備状態となる。
Ｅ―４）その後、燃料ガス１２のガス供給量に応じて取得可能な負荷の範囲内で、任意の電気負荷を瞬時に接続し、発電を開始する。
【００５４】
このように、燃料電池の運転起動時に、燃料電池にて電気出力を発生させる前に、常温の燃料ガス１２を燃焼させ、高温排ガス２２を得ると共に、その燃焼部２１の下流に設けた第１熱交換器２４において燃料電池の冷媒２３を流通させ、前記高温排ガス２２と熱交換させることで、燃料電池の循環水を速やかに昇温するようにしている。
【産業上の利用可能性】
【００５５】
以上のように、本発明にかかる燃料電池発電システムは、水素含有ガスを燃料として発電する固体高分子型燃料電池を備えた発電システムに適用することで、固体高分子型燃料電池を速やかに安定出力状態が得られる温度へ移行させ、燃料電池を起動する際のエネルギー損失を少なくして、エネルギー有効利用率の高い発電システムを提供できる。
【図面の簡単な説明】
【００５６】
【図１】実施形態１に係る燃料電池の発電システムを示す概念図である。
【図２】実施形態２に係る燃料電池の発電システムを示す概念図である。
【図３】実施例１に係る燃料電池発電システムの全体図である。
【図４】実施例１の改質器を起動し、改質器が安定して冷媒の昇温が完了するまでの概略図である。
【図５】実施例１の改質器が安定した後、発電前までの概略図である。
【図６】実施例１の発電開始時の概略図である。
【図７】実施例２に係る燃料電池発電システムの全体図である。
【図８】実施例２の改質器を起動し、改質器が安定して冷媒の昇温が完了するまでの概略図である。
【図９】実施例２の発電開始時の概略図である。
【図１０−１】実施例１の燃料電池発電起動における効果を示す図である。
【図１０−２】従来技術の燃料電池発電起動における効果を示す図である。
【符号の説明】
【００５７】
１１  燃料電池
１１−１  燃料極
１１−２  空気極
１１−３  冷却部
１２  燃料ガス
１３  空気
２１  燃焼部
２２  高温排ガス
２４  第１熱交換器
３１  第２熱交換器
２５−１、２５−２  温度計測器
Ｌ１  冷却ライン
Ｌ２  排出ライン
Ｌ１２  循環ライン
Ｌ３〜Ｌ１１  管路
３３−１、３３−２  ポンプ
【図１】
2006179346.tif 000003
【図２】
2006179346.tif 000004
【図３】
2006179346.tif 000005
【図４】
2006179346.tif 000006
【図５】
2006179346.tif 000007
【図６】
2006179346.tif 000008
【図７】
2006179346.tif 000009
【図８】
2006179346.tif 000010
【図９】
2006179346.tif 000011
【図１０−１】
2006179346.tif 000012
【図１０−２】
2006179346.tif 000013